(57)【特許請求の範囲】
【請求項１】
医療施設において使用される製剤に関する情報を管理する製剤管理サーバと、 
手術室の出入り口に固定的に設置される第１のＩＣタグリーダと、前記手術室の出入り口に固定的に設置され、前記第１のＩＣタグリーダに対応付けられた第１の警告灯と、 
前記手術室内に搬入され、投与が実行される製剤のＩＣタグを読み取り可能な所定の場所に設置される第２のＩＣタグリーダと、前記手術室内において前記製剤の投与が実行される場所に設置され、前記第２のＩＣタグリーダに対応付けられた第２の警告灯と、を備え、 
前記製剤管理サーバは、 
前記医療施設における製剤に関する情報として、前記製剤を識別するための製剤ＩＤと、前記製剤の種類と、前記製剤の使用期限とを少なくとも対応付けて記憶する製剤情報記憶手段と、 
患者に対する前記製剤の投与に関する情報として、患者を識別するための患者ＩＤと、患者に投与する製剤を識別するための製剤ＩＤと、患者に前記製剤が投与される手術室を識別する手術室ＩＤとを少なくとも対応付けて記憶する投与情報記憶手段と、 
前記製剤情報記憶手段に記憶された前記医療施設における製剤に関する情報と、前記投与情報記憶手段に記憶された前記患者に対する前記製剤の投与に関する情報と、前記第１のＩＣタグリーダまたは前記第２のＩＣタグリーダで読み取られた前記製剤のＩＣタグのデータとに基づいて、前記製剤の適否を判定する製剤情報判定手段と、 
前記製剤情報判定手段の判定結果に基づいて、当該製剤のＩＣタグのデータを読み取った前記第１のＩＣタグリーダまたは前記第２のＩＣタグリーダと対応付けられた前記第１の警告灯または前記第２の警告灯を点灯させる信号を出力する信号出力手段と、 
を備え、
前記製剤情報判定手段は、前記第１のＩＣタグリーダから前記患者ＩＤを受信することに対応して、当該第１のＩＣタグリーダが設置されている前記手術室を当該患者に割り当てることを特徴とする製剤管理システム。 
【請求項２】
前記製剤情報判定手段は、前記第１のＩＣタグリーダまたは前記第２のＩＣタグリーダで前記製剤のＩＣタグが読み取られた前記製剤の判定結果が不適合である場合に、前記投与情報記憶手段に記憶された前記患者に対する前記製剤の投与に関する情報に基づいて、当該製剤に関係する患者または手術室に関する注意喚起の表示を行うことを特徴とする請求項１に記載の製剤管理システム。 
【請求項３】
前記第１のＩＣタグリーダ及び前記第１の警告灯と、前記第２のＩＣタグリーダ及び前記第２の警告灯を複数の前記手術室それぞれに備えることを特徴とする請求項１または２に記載の製剤管理システム。 
【請求項４】
医療施設において使用される製剤に関する情報を管理する製剤管理サーバと、 
手術室の出入り口に固定的に設置される第１のＩＣタグリーダと、前記手術室の出入り口に固定的に設置され、前記第１のＩＣタグリーダに対応付けられた第１の警告灯と、 
前記手術室内に搬入され、投与が実行される製剤のＩＣタグを読み取り可能な所定の場所に設置される第２のＩＣタグリーダと、前記手術室内において前記製剤の投与が実行される場所に設置され、前記第２のＩＣタグリーダに対応付けられた第２の警告灯と、を備え、 
前記製剤管理サーバが、 
前記医療施設における製剤に関する情報として、前記製剤を識別するための製剤ＩＤと、前記製剤の種類と、前記製剤の使用期限とを少なくとも対応付けて記憶する製剤情報記憶手段と、 
患者に対する前記製剤の投与に関する情報として、患者を識別するための患者ＩＤと、患者に投与する製剤を識別するための製剤ＩＤと、患者に前記製剤が投与される手術室を識別する手術室ＩＤとを少なくとも対応付けて記憶する投与情報記憶手段と、を備える製剤管理システムにおいて実行される製剤管理方法であって、 
前記製剤情報記憶手段に記憶された前記医療施設における製剤に関する情報と、前記投与情報記憶手段に記憶された前記患者に対する前記製剤の投与に関する情報と、前記第１のＩＣタグリーダまたは前記第２のＩＣタグリーダで読み取られた前記製剤のＩＣタグのデータとに基づいて、前記製剤の適否を判定する製剤情報判定ステップと、 
前記製剤情報判定ステップにおける判定結果に基づいて、当該製剤のＩＣタグのデータを読み取った前記第１のＩＣタグリーダまたは前記第２のＩＣタグリーダと対応付けられた前記第１の警告灯または前記第２の警告灯を点灯させる信号を出力する信号出力ステップと、 
を含み、
前記製剤情報判定ステップは、前記第１のＩＣタグリーダから前記患者ＩＤを受信することに対応して、当該第１のＩＣタグリーダが設置されている前記手術室を当該患者に割り当てることを特徴とする製剤管理方法。 
【請求項５】
医療施設において使用される製剤に関する情報を管理する製剤管理サーバと、 
手術室の出入り口に固定的に設置される第１のＩＣタグリーダと、前記手術室の出入り口に固定的に設置され、前記第１のＩＣタグリーダに対応付けられた第１の警告灯と、 
前記手術室内に搬入され、投与が実行される製剤のＩＣタグを読み取り可能な所定の場所に設置される第２のＩＣタグリーダと、前記手術室内において前記製剤の投与が実行される場所に設置され、前記第２のＩＣタグリーダに対応付けられた第２の警告灯と、を備え、 
前記製剤管理サーバが、 
前記医療施設における製剤に関する情報として、前記製剤を識別するための製剤ＩＤと、前記製剤の種類と、前記製剤の使用期限とを少なくとも対応付けて記憶する製剤情報記憶手段と、 
患者に対する前記製剤の投与に関する情報として、患者を識別するための患者ＩＤと、患者に投与する製剤を識別するための製剤ＩＤと、患者に前記製剤が投与される手術室を識別する手術室ＩＤとを少なくとも対応付けて記憶する投与情報記憶手段と、を備える製剤管理システムの前記製剤管理サーバを制御するコンピュータに、 
前記製剤情報記憶手段に記憶された前記医療施設における製剤に関する情報と、前記投与情報記憶手段に記憶された前記患者に対する前記製剤の投与に関する情報と、前記第１のＩＣタグリーダまたは前記第２のＩＣタグリーダで読み取られた前記製剤のＩＣタグのデータとに基づいて、前記製剤の適否を判定する製剤情報判定機能と、 
前記製剤情報判定機能の判定結果に基づいて、当該製剤のＩＣタグのデータを読み取った前記第１のＩＣタグリーダまたは前記第２のＩＣタグリーダと対応付けられた前記第１の警告灯または前記第２の警告灯を点灯させる信号を出力する信号出力機能と、 
を実現させ、
前記製剤情報判定機能は、前記第１のＩＣタグリーダから前記患者ＩＤを受信することに対応して、当該第１のＩＣタグリーダが設置されている前記手術室を当該患者に割り当てることを特徴とするプログラム。
【発明の詳細な説明】
【技術分野】
【０００１】
本発明は、製剤管理システム、製剤管理方法及びプログラムに関する。
【背景技術】
【０００２】
従来より、患者及び製剤の誤認を防止して、患者に対して適切な製剤を投与するための技術が知られている。
例えば、特許文献１には、携帯端末を利用した輸血用血液製剤照合システムが記載されている。具体的に、特許文献１には、作業者が、携帯端末でバーコード化された患者のＩＤ番号を読み取り、照合に必要な情報を携帯端末に手動で入力することにより、患者に輸血すべき輸血予定血液製剤の照合を行うことが記載されている。
【先行技術文献】
【特許文献】
【０００３】
【特許文献１】特開２００１−１７０１７４号公報
【発明の概要】
【発明が解決しようとする課題】
【０００４】
しかしながら、特許文献１に記載された技術では、作業者は携帯端末を操作しなければならず、携帯端末に触れることにより汚染の可能性が生じ、また、作業が煩雑であるため、作業性に問題があった。また、特許文献１では、携帯端末の画面に表示される情報が多く、さらに、主として携帯端末を操作する作業者が単独で携帯端末の画面を介した照合を行うため、照合の確実性に問題があった。即ち、特許文献１に記載された技術では、製剤を適切に管理することが困難であった。【０００５】
本発明は、以上の実情に鑑みてなされたものであり、製剤をより適切に管理することを目的とする。
【課題を解決するための手段】
【０００６】
上記目的を達成するため、本発明の一態様の製剤管理システムは、
医療施設において使用される製剤に関する情報を管理する製剤管理サーバと、
手術室の出入り口に固定的に設置される第１のＩＣタグリーダと、前記手術室の出入り口に固定的に設置され、前記第１のＩＣタグリーダに対応付けられた第１の警告灯と、
前記手術室内に搬入され、投与が実行される製剤のＩＣタグを読み取り可能な所定の場所に設置される第２のＩＣタグリーダと、前記手術室内において前記製剤の投与が実行される場所に設置され、前記第２のＩＣタグリーダに対応付けられた第２の警告灯と、を備え、
前記製剤管理サーバは、
前記医療施設における製剤に関する情報が記憶された製剤情報記憶手段と、
患者に対する前記製剤の投与に関する情報が記憶された投与情報記憶手段と、
前記製剤情報記憶手段に記憶された前記医療施設における製剤に関する情報と、前記投与情報記憶手段に記憶された前記患者に対する前記製剤の投与に関する情報と、前記第１のＩＣタグリーダまたは前記第２のＩＣタグリーダで読み取られた前記製剤のＩＣタグのデータとに基づいて、前記製剤の適否を判定する製剤情報判定手段と、
前記製剤情報判定手段の判定結果に基づいて、当該製剤のＩＣタグのデータを読み取った前記第１のＩＣタグリーダまたは前記第２のＩＣタグリーダと対応付けられた前記第１の警告灯または前記第２の警告灯を点灯させる信号を出力する信号出力手段と、
を備える。【０００７】
また、本発明の一態様の製剤管理システムでは、
前記製剤情報記憶手段は、前記製剤に関する情報として、前記製剤を識別するための製剤ＩＤと、前記製剤の種類と、前記製剤の使用期限とを少なくとも対応付けて記憶し、
前記投与情報記憶手段は、前記患者に対する前記製剤の投与に関する情報として、患者を識別するための患者ＩＤと、患者に投与する製剤を識別するための製剤ＩＤと、患者に前記製剤が投与される手術室を識別する手術室ＩＤとを少なくとも対応付けて記憶している。【０００８】
また、本発明の一態様の製剤管理システムでは、
前記製剤情報判定手段は、前記第１のＩＣタグリーダから前記患者ＩＤを受信することに対応して、当該第１のＩＣタグリーダが設置されている前記手術室を当該患者に割り当てる。【０００９】
また、本発明の一態様の製剤管理システムでは、
前記製剤情報判定手段は、前記第１のＩＣタグリーダまたは前記第２のＩＣタグリーダで前記製剤のＩＣタグが読み取られた前記製剤の判定結果が不適合である場合に、前記投与情報記憶手段に記憶された前記患者に対する前記製剤の投与に関する情報に基づいて、当該製剤に関係する患者または手術室に関する注意喚起の表示を行う。【００１０】
また、本発明の一態様の製剤管理システムでは、
前記第１のＩＣタグリーダ及び前記第１の警告灯と、前記第２のＩＣタグリーダ及び前記第２の警告灯を複数の前記手術室それぞれに備える。【００１１】
また、本発明の一態様の製剤管理方法は、
医療施設において使用される製剤に関する情報を管理する製剤管理サーバと、
手術室の出入り口に固定的に設置される第１のＩＣタグリーダと、前記手術室の出入り口に固定的に設置され、前記第１のＩＣタグリーダに対応付けられた第１の警告灯と、
前記手術室内に搬入され、投与が実行される製剤のＩＣタグを読み取り可能な所定の場所に設置される第２のＩＣタグリーダと、前記手術室内において前記製剤の投与が実行される場所に設置され、前記第２のＩＣタグリーダに対応付けられた第２の警告灯と、を備え、
前記製剤管理サーバが、
前記医療施設における製剤に関する情報が記憶された製剤情報記憶手段と、
患者に対する前記製剤の投与に関する情報が記憶された投与情報記憶手段と、を備える製剤管理システムにおいて実行される製剤管理方法であって、
前記製剤情報記憶手段に記憶された前記医療施設における製剤に関する情報と、前記投与情報記憶手段に記憶された前記患者に対する前記製剤の投与に関する情報と、前記第１のＩＣタグリーダまたは前記第２のＩＣタグリーダで読み取られた前記製剤のＩＣタグのデータとに基づいて、前記製剤の適否を判定する製剤情報判定ステップと、
前記製剤情報判定ステップにおける判定結果に基づいて、当該製剤のＩＣタグのデータを読み取った前記第１のＩＣタグリーダまたは前記第２のＩＣタグリーダと対応付けられた前記第１の警告灯または前記第２の警告灯を点灯させる信号を出力する信号出力ステップと、
を含む。【００１２】
また、本発明の一態様のプログラムは、
医療施設において使用される製剤に関する情報を管理する製剤管理サーバと、
手術室の出入り口に固定的に設置される第１のＩＣタグリーダと、前記手術室の出入り口に固定的に設置され、前記第１のＩＣタグリーダに対応付けられた第１の警告灯と、
前記手術室内に搬入され、投与が実行される製剤のＩＣタグを読み取り可能な所定の場所に設置される第２のＩＣタグリーダと、前記手術室内において前記製剤の投与が実行される場所に設置され、前記第２のＩＣタグリーダに対応付けられた第２の警告灯と、を備え、
前記製剤管理サーバが、
前記医療施設における製剤に関する情報が記憶された製剤情報記憶手段と、
患者に対する前記製剤の投与に関する情報が記憶された投与情報記憶手段と、を備える製剤管理システムの前記製剤管理サーバを制御するコンピュータに、
前記製剤情報記憶手段に記憶された前記医療施設における製剤に関する情報と、前記投与情報記憶手段に記憶された前記患者に対する前記製剤の投与に関する情報と、前記第１のＩＣタグリーダまたは前記第２のＩＣタグリーダで読み取られた前記製剤のＩＣタグのデータとに基づいて、前記製剤の適否を判定する製剤情報判定機能と、
前記製剤情報判定機能の判定結果に基づいて、当該製剤のＩＣタグのデータを読み取った前記第１のＩＣタグリーダまたは前記第２のＩＣタグリーダと対応付けられた前記第１の警告灯または前記第２の警告灯を点灯させる信号を出力する信号出力機能と、
を実現させる。
【発明の効果】
【００１３】
本発明によれば、製剤をより適切に管理することができる。
【図面の簡単な説明】
【００１４】
【図１】本発明の一実施形態に係る製剤管理システム１が手術室８に対して設置されている状態の一例を示す模式図である。
【図２】本発明の一実施形態に係る製剤管理システム１が備える製剤管理サーバ２のハードウェアの構成を示すブロック図である。
【図３】本発明の一実施形態に係る製剤管理システム１が備える製剤管理サーバ２の機能的構成を示す機能ブロック図である。
【図４】製剤管理サーバ２が管理している製剤情報管理テーブル４１の一例を示す図である。
【図５】製剤管理サーバ２が管理している投与情報管理テーブル５１の一例を示す図である。
【図６】製剤管理サーバ２が管理している製剤情報判定テーブル６１の一例を示す図である。
【図７】製剤管理サーバ２に表示される表示画面７１の一例を示す。
【図８】本発明の一実施形態に係る製剤管理システム１の製剤の管理方法の流れを説明するフローチャートである。
【発明を実施するための形態】
【００１５】
以下、本発明の実施形態について、図面を用いて説明する。
なお、以下の説明における「製剤」には、医薬品、及び輸血用血液製剤（例えば、赤血球製剤、血漿製剤、血小板製剤、及び全血製剤）が含まれる。
【００１６】
本実施形態の製剤管理システム１は、ＲＦＩＤ（Ｒａｄｉｏ  Ｆｒｅｑｕｅｎｃｙ  ＩＤｅｎｔｉｆｉｅｒ）を利用することにより実現される。つまり、患者を識別する患者ＩＤ及び製剤を識別する製剤ＩＤはＲＦタグに記録される。ＲＦタグに記録されたＩＤは、ＲＦタグのリーダにより非接触で読み取り可能である。以下の説明では、ＩＤが記録されるタグをＩＣタグとし、ＩＣタグを読み取る装置をＩＣタグリーダとして説明する。
【００１７】
図１は、本発明の一実施形態に係る製剤管理システム１が手術室８に設置されている状態の一例を示す模式図である。なお、破線で結ばれている装置同士は、ネットワークで接続されていることを示す。
【００１８】
製剤管理システム１は、製剤管理サーバ２と、第１のＩＣタグリーダ３と、第１の警告灯４と、第２のＩＣタグリーダ５と、第２の警告灯６と、を備える。
【００１９】
製剤管理サーバ２は、医療機関において製剤の管理を行う部門（輸血部等）に配置され、運用される。製剤管理サーバ２と、第１のＩＣタグリーダ３及び第１の警告灯４とは、所定の閉じられたネットワーク（例えば、ＬＡＮ（Ｌｏｃａｌ  Ａｒｅａ  Ｎｅｔｗоｒｋ））を介して接続されている。また、製剤管理サーバ２と、第２のＩＣタグリーダ５及び第２の警告灯６とは、同様に、所定のネットワーク７を介して接続されている。
【００２０】
製剤管理サーバ２は、医療施設において使用される製剤に関する情報を管理し、パーソナルコンピュータ等の情報処理装置によって構成される。製剤管理サーバ２の詳細は後述する。
第１のＩＣタグリーダ３及び第２のＩＣタグリーダ５は、ＩＣタグに記録されたデータを非接触で読み取る。
第１の警告灯４及び第２の警告灯６は、例えば、赤色及び青色のランプを備える回転警告灯（パトランプ）によって構成され、製剤管理サーバ２の指示に従って、製剤の適合または不適合を示す色のランプを点灯する。
【００２１】
第１のＩＣタグリーダ３及び第１の警告灯４は、対応付けられた機器として手術室８の出入り口８ａに固定的に設置される。具体的には、第１のＩＣタグリーダ３及び第１の警告灯４は、図１に示すような手術室８の内部における出入り口８ａ付近の場所、あるいは、手術室８の外部における出入り口８ａ付近の場所に固定的に設置される。
第１のＩＣタグリーダ３は、出入り口８ａから手術室８内に進入する患者のＩＣタグ、及び出入り口８ａから手術室８内に搬入される製剤のＩＣタグを読み取り、読み取ったＩＣタグのデータ（患者ＩＤや製剤ＩＤ）を製剤管理サーバ２に送信する。
第１の警告灯４は、第１のＩＣタグリーダ３に対応付けられている。即ち、第１の警告灯４は、第１のＩＣタグリーダ３で読み取られたＩＣタグのデータに基づく報知指示信号を製剤管理サーバ２から受信して、受信した報知指示信号に基づくランプを点灯させる。
【００２２】
第２のＩＣタグリーダ５及び第２の警告灯６は、対応付けられた機器として手術室８内部の所定の場所に設置される。具体的には、第２のＩＣタグリーダ５は、手術室８内部において、使用される状態に設置された製剤等、投与が実行される製剤のＩＣタグを読み取り可能な場所に設置される。
例えば、第２のＩＣタグリーダ５は、手術台８ｂの近傍や製剤のバッグを吊り下げるスタンドに設置される。なお、第２のＩＣタグリーダ５は、使用される状態に設置された製剤の他、投与が実行される際に保管庫８ｃから取り出される製剤のＩＣタグを読み取り可能な場所（保管庫８ｃの取り出し口周辺等）に設置することとしてもよい。
第２のＩＣタグリーダ５は、手術室８内に搬入され、投与が実行される製剤のＩＣタグを読み取り、読み取ったＩＣタグのデータを製剤管理サーバ２に送信する。
第２の警告灯６は、前記第２のＩＣタグリーダに対応付けられている。即ち、第２の警告灯６は、第２のＩＣタグリーダ５で読み取られたＩＣタグのデータに基づく報知指示信号を製剤管理サーバ２から受信して、受信した報知指示信号に基づくランプを点灯させる。
【００２３】
なお、製剤管理システム１は、手術室８毎に、第１のＩＣタグリーダ３及び第１の警告灯４と、第２のＩＣタグリーダ５及び第２の警告灯６とを備える。図１においては、１つの手術室８を例として示している。
【００２４】
図２は、本発明の一実施形態に係る製剤管理システム１が備える製剤管理サーバ２のハードウェアの構成を示すブロック図である。
【００２５】
製剤管理サーバ２は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入力部１５と、出力部１６と、記憶部１７と、通信部１８と、ドライブ１９と、を備えている。
【００２６】
ＣＰＵ１１は、製剤を管理するためのプログラム等、ＲＯＭ１２に記録されているプログラム、または、記憶部１７からＲＡＭ１３にロードされたプログラムに従って各種の処理（後述する製剤管理処理等）を実行する。
【００２７】
ＲＡＭ１３には、ＣＰＵ１１が各種の処理を実行する上において必要なデータ等も適宜記憶される。
【００２８】
ＣＰＵ１１、ＲＯＭ１２及びＲＡＭ１３は、バス１４を介して相互に接続されている。バス１４には、入力部１５、出力部１６、記憶部１７、通信部１８及びドライブ１９が接続されている。
【００２９】
入力部１５は、各種釦等で構成され、ユーザの指示操作に応じて各種情報を入力する。
出力部１６は、ディスプレイやスピーカ等で構成され、画像や音声を出力する。
記憶部１７は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、後述する管理テーブル等を記憶する。
通信部１８は、他の装置（所定のネットワーク７を介して、第１のＩＣタグリーダ３、第１の警告灯４、第２のＩＣタグリーダ５、及び第２の警告灯６）との間で行う通信を制御する。
【００３０】
ドライブ１９には、磁気ディスク、光ディスク、光磁気ディスク、あるいは半導体メモリ等よりなる、リムーバブルメディア２１が適宜装着される。ドライブ１９によってリムーバブルメディア２１から読み出されたプログラムは、必要に応じて記憶部１７にインストールされる。
【００３１】
図３は、本発明の一実施形態に係る製剤管理システム１が備える製剤管理サーバ２の機能的構成を示す機能ブロック図である。
【００３２】
製剤管理サーバ２では、製剤管理処理が実行される場合、ＣＰＵ１１において、製剤情報登録部３１と、投与情報登録部３２と、製剤情報受信部３３と、製剤情報判定部３４と、信号出力部３５と、製剤情報管理部３６と、が機能する。
【００３３】
製剤情報登録部３１は、医療施設における全ての製剤に関する情報を製剤情報管理テーブル４１に登録する。製剤に関する情報として、例えば、医療施設に納品された製剤の種類（「医薬品」あるいは「血液製剤」等）、製剤の使用期限、及び製剤の納品日等が登録される。製剤情報登録部３１によって、医療施設に納入された全ての製剤に関する情報が製剤情報管理テーブル４１に登録されるため、製剤管理システム１においては、医療施設において用いられる製剤を統合的に管理することができる。
【００３４】
投与情報登録部３２は、患者と、患者に投与する製剤と、患者が製剤を投与される手術室（即ち、患者が手術あるいは治療を受ける手術室）と、を対応付けて投与情報管理テーブル５１に登録する。投与情報管理テーブル５１を参照することにより、患者の手術室及び投与される製剤が患者毎に管理される。
【００３５】
製剤情報受信部３３は、第１のＩＣタグリーダ３から送信されたＩＣタグのデータ、及び第２のＩＣタグリーダ５から送信されたＩＣタグのデータを受信する。製剤情報受信部３３は、受信したデータを製剤情報判定テーブル６１に登録する。
【００３６】
製剤情報判定部３４は、製剤情報受信部３３が受信したＩＣタグのデータ（製剤情報判定テーブル６１内の読み取り結果）に基づき、製剤情報管理テーブル４１及び投与情報管理テーブル５１を参照して、出入り口８ａから手術室８に搬入される製剤が、手術室８に入室した患者に投与されるべき製剤であるか否か（その患者及び手術室と対応付けられているか、製剤の使用期限が過ぎていないか等）を判定する。また、製剤情報判定部３４は、製剤情報受信部３３が受信したＩＣタグのデータ（製剤情報判定テーブル６１内の読み取り結果）に基づき、製剤情報管理テーブル４１及び投与情報管理テーブル５１を参照して、手術室８において投与が実行される製剤が手術室８に入室した患者に投与されるべき製剤であるか否か（その患者と対応付けられているか、製剤の使用期限が過ぎていないか等）を判定する。
また、製剤情報判定部３４は、第１のＩＣタグリーダ３から患者の患者ＩＤが受信されると、受信した患者ＩＤを製剤情報判定テーブル６１に登録し、手術室８をその患者に割り当てる。
【００３７】
信号出力部３５は、第１の警告灯４及び第２の警告灯６に対して、製剤情報判定部３４が判定した判定結果に基づく報知指示信号を送信する。
具体的には、製剤情報判定部３４が、手術室８に搬入される製剤が患者に投与されるべき製剤（以下「適合した製剤」という）であると判定した場合、信号出力部３５は、製剤が適合していることを示す報知指示信号を第１の警告灯４に対して送信する。また、製剤情報判定部３４が、手術室８内部において、投与が実行される製剤が患者に投与されるべき製剤であると判定した場合、信号出力部３５は、製剤が適合していることを示す報知指示信号を第２の警告灯６に対して送信する。
【００３８】
また、製剤情報判定部３４が、手術室８に搬入される製剤が患者に投与されるべき製剤ではない（以下「不適合の製剤」という）と判定した場合、信号出力部３５は、製剤が不適合であることを示す報知指示信号を第１の警告灯４に対して送信する。また、製剤情報判定部３４が、手術室８内に搬入されたものの、患者に投与されるべき製剤ではない（例えば、保管中に使用期限が経過した製剤や以前の手術で他の患者のために搬入された未使用の製剤等）と判定した場合、信号出力部３５は、製剤が不適合であることを示す報知指示信号を第２の警告灯６に対して送信する。
【００３９】
製剤情報管理部３６は、製剤情報受信部３３が受信したデータに基づいて、製剤が手術室８に搬入されたか否かに関する情報、及び、手術室８に搬入された製剤が使用されたか否かに関する情報を投与情報管理テーブル５１に登録する。これにより、製剤の搬入状況や使用状況が逐次管理される。
【００４０】
図４は、製剤情報管理テーブル４１の一例を示す図である。
【００４１】
製剤情報管理テーブル４１は、医療施設に納入された全ての製剤に関する情報を製剤毎に管理するために使用されるテーブルである。
【００４２】
具体的には、製剤情報管理テーブル４１には、製剤毎に、製剤ＩＤ４１１、種類４１２、使用期限４１３、及び納品日４１４が対応付けて登録される。
製剤ＩＤ４１１は、納品された製剤を識別するための情報である。
種類４１２は、納品された製剤の種類を示す情報である。
使用期限４１３は、各製剤に設定された使用期限を示す情報である。製剤情報管理テーブル４１では、使用期限４１３が「年月日」で示される。
納品日４１４は、医療施設に製剤が納品された日付を示す情報である。使用期限４１３の表記（年月日）に合わせて、納品日４１４も「年月日」で示される。ただし、使用期限や納品日を時分の単位で示すことも可能である。
【００４３】
図５は、投与情報管理テーブル５１の一例を示す図である。
【００４４】
投与情報管理テーブル５１は、手術が行われる予定の手術室８、手術室８で使用される予定の製剤、手術室８で手術される予定の患者、製剤が手術室８に搬入されたか否か、及び製剤が手術室８で使用されたか否かを、製剤管理サーバ２が管理するために使用されるテーブルである。なお、投与情報管理テーブル５１において、手術が行われる予定の手術室８と対応付けて、手術が行われる日時及び所要時間を管理することとしてもよい。
【００４５】
投与情報管理テーブル５１には、手術室ＩＤ５１１、製剤ＩＤ５１２、患者ＩＤ５１３、搬入状況５１４、及び使用状況５１５が対応付けて登録される。
手術室ＩＤ５１１は、手術が行われる予定の手術室８を識別するための情報である。
製剤ＩＤ５１２は、患者に投与される予定の製剤を識別するための情報である。
患者ＩＤ５１３は、手術される予定の患者を識別するための情報である。
【００４６】
搬入状況５１４は、患者に投与すべき製剤が手術室８に搬入されたか否かを示す情報である。製剤が搬入された場合、搬入状況５１４は「１」となる。一方、製剤が搬入されていない場合、搬入状況５１４は「０」となる。
具体的に、搬入状況５１４が「１」の製剤とは、製剤ＩＤが、第１のＩＣタグリーダ３で読み取られ、製剤情報判定部３４により「適合した製剤」と判定され、手術室８内に搬入された製剤を示す。
また、搬入状況５１４が「０」の製剤とは、手術室８内にまだ搬入されていない製剤を示す。また、出入り口８ａから手術室８内に搬入される製剤の製剤ＩＤが、第１のＩＣタグリーダ３で読み取られ、製剤情報判定部３４により「不適合の製剤」と判定された場合にも、搬入状況５１４が「０」となる。なお、手術室８に、投与される予定のない製剤が搬送され、製剤の製剤ＩＤが、第１のＩＣタグリーダ３で読み取られた場合（即ち、製剤が不適合であることを示す報知指示信号を受信した場合）、製剤情報判定部３４によって、その製剤に関係する他の手術室８や患者のデータが識別して表示（色を識別したり、メッセージを表示したりする等）されることにより、関係者に注意喚起される。
【００４７】
使用状況５１５は、手術室８に搬入された製剤が使用されたか否かを示す情報である。製剤が使用された場合、使用状況５１５は「１」となる。製剤が使用されていない場合、使用状況５１５は「０」となる。
具体的に、使用状況５１５が「１」の製剤とは、搬入状況５１４が「１」として管理されている製剤のうち、製剤ＩＤが、第２のＩＣタグリーダ５で読み取られ、製剤情報判定部３４により、再度「適合した製剤」と判定された製剤（即ち、使用された状態）を示す。
また、使用状況５１５が「０」の製剤とは、搬入状況５１４が「１」として管理されている製剤のうち、製剤ＩＤが、第２のＩＣタグリーダ５で読み取られ、製剤情報判定部３４により、「不適合の製剤」と判定された製剤（即ち、使用されていない状態）を示す。
【００４８】
図６は、製剤情報判定テーブル６１の一例を示す図である。
【００４９】
製剤情報判定テーブル６１は、手術室８に搬入される製剤、及び手術室８内に搬入され、投与が実行される製剤が患者に投与されるべき製剤であるか否かを判定するために使用されるテーブルである。
製剤情報判定テーブル６１には、手術室ＩＤ６１１、ＩＣタグリーダＩＤ６１２、読み取り結果Ｘ６１３、読み取り結果Ｙ６１４、受信日時６１５、及び警告灯ＩＤ６１６が対応付けて登録される。
手術室ＩＤ６１１は、手術室８を識別するための情報である。
ＩＣタグリーダＩＤ６１２は、手術室８に対応付けられている２台のＩＣタグリーダを識別するための情報である。２台のＩＣタグリーダのうち、ＩＣタグリーダＩＤ６１２の１行目に示されているＩＤによって識別されるＩＣタグリーダは、手術室８の出入り口８ａに固定的に設置されている。一方、ＩＣタグリーダＩＤ６１２の２行目に示されているＩＤによって識別されるＩＣタグリーダは、手術室８内の所定の場所（上述した投与が実行される製剤のＩＣタグを読み取り可能な場所）に設置されている。
読み取り結果Ｘ６１３は、ＩＣタグリーダＩＤ６１２の１行目に示されているＩＤによって識別されるＩＣタグリーダ（つまり、出入り口８ａに設置されているＩＣタグリーダ）によって読み取られた患者ＩＤを示す。
読み取り結果Ｙ６１４は、ＩＣタグリーダＩＤ６１２によって識別される２台のＩＣタグリーダ（例えば、図１で示す第１のＩＣタグリーダ３及び第２のＩＣタグリーダ５）によってそれぞれ読み取られた製剤ＩＤを示す。なお、同一種類の製剤が複数使用される場合、製剤情報判定テーブル６１において、手術室８に搬入された製剤の数を併せて管理することとしてもよい。
受信日時６１５は、ＩＣタグリーダＩＤ６１２の２行目に示されているＩＤによって識別されるＩＣタグリーダ（例えば、図１で示す第２のＩＣタグリーダ５）が送信した製剤ＩＤを、製剤情報受信部３３が受信した日時（「年月日」）を示す。
警告灯ＩＤ６１６は、各ＩＣタグリーダに対応付けて設置されている警告灯を識別するための情報である。例えば、ＩＣタグリーダＩＤ６１２が「ＴＡＧ１」の第１のＩＣタグリーダ３には警告灯ＩＤ６１６が「ＰＴ１」の第１の警告灯４が対応付けられている。また、ＩＣタグリーダＩＤ６１２が「ＴＡＧ２」の第２のＩＣタグリーダ５には警告灯ＩＤ６１６が「ＰＴ２」の第２の警告灯６が対応付けられている。
【００５０】
図７は、製剤管理サーバ２に表示される表示画面７１の一例を示す図である。
製剤管理サーバ２を操作する作業者は、表示画面７１を介して、医療施設内に存在する手術室８において製剤が適切に管理されているか否かを確認できる。
表示画面７１には、手術室毎に、手術室ＩＤ７１１、製剤ＩＤ７１２、患者ＩＤ７１３、ＩＣタグリーダＩＤ７１４、読み取り結果７１５、及び報知内容７１６が表示される。
手術室ＩＤ７１１は、手術室８を識別するための情報である。
製剤ＩＤ７１２は、製剤を識別するための情報である。
患者ＩＤ７１３は、患者を識別するための情報である。
ＩＣタグリーダＩＤ７１４は、製剤情報判定テーブル６１のＩＣタグリーダＩＤ６１２と同様に、手術室８に対応付けられている２台のＩＣタグリーダを識別するための情報である。
読み取り結果７１５は、ＩＣタグリーダＩＤ７１４によって識別されるＩＣタグリーダ（例えば、図１で示す第１のＩＣタグリーダ３及び第２のＩＣタグリーダ５）からそれぞれ送信された製剤ＩＤの製剤情報判定部３４による判定結果を示す。
報知内容７１６は、信号出力部３５が各ＩＣタグリーダに対応付けられている警告灯（４及び５）に送信した報知指示信号の内容を示す。
【００５１】
図８は、本発明の一実施形態に係る製剤管理システム１が実行する製剤管理処理の流れを説明するフローチャートである。
【００５２】
製剤管理処理の実行に先立ち、製剤情報登録部３１によって製剤情報管理テーブル４１に製剤に関する情報が登録され、及び投与情報登録部３２によって投与情報管理テーブル５１（手術室ＩＤ５１１、製剤ＩＤ５１２、及び患者ＩＤ５１３）に必要な情報が登録される。
【００５３】
なお、図８においては、手術室ＩＤが「ＯＰ１」の手術室８を使用して患者を手術する場合を例として示している。
手術室ＩＤが「ＯＰ１」の手術室８には、ＩＣタグリーダＩＤが「ＴＡＧ１」の第１のＩＣタグリーダ３と、ＩＣタグリーダＩＤが「ＴＡＧ２」の第２のＩＣタグリーダ５とが対応付けられている。第１のＩＣタグリーダ３は、手術室８の出入り口８ａに固定的に設置されている。第２のＩＣタグリーダ５は、手術室８内の所定の場所（投与が実行される製剤のＩＣタグを読み取り可能な場所）に設置されている。
また、第１のＩＣタグリーダ３には、警告灯ＩＤが「ＰＴ１」の第１の警告灯４が対応付けられており、第２のＩＣタグリーダ５には、警告灯ＩＤが「ＰＴ２」の第２の警告灯６が対応付けられている。
【００５４】
製剤管理処理は、入力部１５等を介して、製剤管理処理の起動が指示入力されることにより開始される。
【００５５】
ステップＳ１において、製剤情報受信部３３は、第１のＩＣタグリーダ３から送信された患者の患者ＩＤを受信する。患者ＩＤは、例えば、患者のリストバンドに内蔵されたＩＣタグに記憶されている。
【００５６】
ステップＳ２において、製剤情報判定部３４は、患者が入室した手術室８を製剤情報受信部３３が受信した患者ＩＤの患者に割り当てる。具体的に、製剤情報判定部３４は、製剤情報判定テーブル６１の読み取り結果Ｘ６１３に、製剤情報受信部３３が受信した患者ＩＤ「０００１」を記憶し、患者ＩＤ「０００１」と手術室ＩＤ６１１「ＯＰ１」とを対応付ける。
【００５７】
ステップＳ３において、製剤情報受信部３３は、第１のＩＣタグリーダ３から製剤の製剤ＩＤを受信したか否かの判定を行う。
第１のＩＣタグリーダ３から製剤の製剤ＩＤを受信していない場合、ステップＳ３においてＮＯと判定されて、処理はステップＳ６に移行する。
一方、第１のＩＣタグリーダ３から製剤の製剤ＩＤを受信した場合、ステップＳ３においてＹＥＳと判定されて、処理はステップＳ４に移行する。
【００５８】
ステップＳ４において、製剤情報判定部３４は、製剤情報管理テーブル４１及び投与情報管理テーブル５１を参照して、製剤情報受信部３３が受信した製剤ＩＤが患者ＩＤと適合するか否かの判定を行う。
受信した製剤ＩＤが患者ＩＤと適合しない場合（つまり、受信した製剤ＩＤによって識別される製剤が「不適合の製剤」である場合）、ステップＳ４においてＮＯと判定されて、処理はステップＳ１０に移行する。
一方、受信した製剤ＩＤが患者ＩＤと適合している場合（つまり、受信した製剤ＩＤによって識別される製剤が「適合した製剤」である場合）ステップＳ４においてＹＥＳと判定されて、処理はステップＳ５に移行する。
【００５９】
ステップＳ５において、製剤情報管理部３６は、投与情報管理テーブル５１の搬入状況５１４に製剤が搬入されたことを示す「１」を記憶する。また、ステップＳ５において、信号出力部３５は、第１の警告灯４に対して製剤が適合していることを示す報知指示信号を送信する。
【００６０】
ステップＳ６において、製剤情報受信部３３は、第２のＩＣタグリーダ５から製剤の製剤ＩＤを受信したか否かの判定を行う。
第２のＩＣタグリーダ５から製剤の製剤ＩＤを受信していない場合、ステップＳ６においてＮＯと判定されて、処理はステップＳ９に移行する。
一方、第２のＩＣタグリーダ５から製剤の製剤ＩＤを受信した場合、ステップＳ６においてＹＥＳと判定されて、処理はステップＳ７に移行する。
【００６１】
ステップＳ７において、製剤情報判定部３４は、製剤情報管理テーブル４１及び投与情報管理テーブル５１を参照して、製剤情報受信部３３が受信した製剤ＩＤが患者ＩＤと適合するか否かの判定を行う。
受信した製剤ＩＤが患者ＩＤと適合しないと判定された場合（つまり、受信した製剤ＩＤによって識別される製剤が、患者に対応するものでない、あるいは使用期限が切れている等、投与が実行されるべき製剤ではない場合）、ステップＳ７においてＮＯと判定されて、処理はステップＳ１１に移行する。
一方、受信した製剤ＩＤが患者ＩＤと適合している判定された場合（つまり、受信した製剤ＩＤによって識別される製剤が、投与が実行されるべき製剤である場合）、ステップＳ７においてＹＥＳと判定されて、処理はステップＳ８に移行する。
【００６２】
ステップＳ８において、製剤情報管理部３６は、投与情報管理テーブル５１の使用状況５１５に製剤が使用されたことを示す「１」を記憶する。また、ステップＳ８において、信号出力部３５は、第２の警告灯６に対して製剤が適合していることを示す報知指示信号を送信する。
【００６３】
ステップＳ９において、製剤情報判定部３４は、製剤管理処理の終了条件が充足したか否かの判定を行う。終了条件として、例えば、第１のＩＣタグリーダ３が患者の患者ＩＤを再び読み取り、製剤管理サーバ２がその患者ＩＤを受信すること（即ち、手術等が終了して患者が手術室８から退出すること）、製剤管理サーバ２において手術終了を示す指示入力あるいは製剤管理処理を終了させる指示入力が行われたこと等を設定することができる。なお、手術室８において、次の患者の患者ＩＤが第１のＩＣタグリーダ３で読み取られ、製剤管理サーバ２がその患者ＩＤを受信することを製剤管理処理の終了条件に含めることとしてもよい。
製剤管理処理の終了条件が充足した場合、ステップＳ９においてＹＥＳと判定されて、製剤管理処理は終了となる。
なお、これにより、投与情報登録部３２により手術室８に対応付けられていた製剤、及び患者に関する情報がリセットされる。即ち、投与情報管理テーブル５１の手術室ＩＤ「ＯＰ１」に対応付けられていた製剤ＩＤ５１２「Ａ」、患者ＩＤ「０００１」、搬入状況５１４「１」、及び使用状況５１５「０」がリセットされる。
一方、製剤管理処理の終了条件が充足していないと判定された場合、ステップＳ９においてＮＯと判定されて、処理はステップＳ３に移行する。
【００６４】
ステップＳ１０において、製剤情報管理部３６は、投与情報管理テーブル５１の搬入状況５１４に製剤が搬入されていないことを示す「０」を記憶する。また、ステップＳ１０において、信号出力部３５は、第１の警告灯４に対して製剤が不適合であることを示す報知指示信号を送信する。この送信結果は、表示画面７１の報知内容７１６に反映される。
このとき、信号出力部３５が、いずれかの警告灯に対して製剤が不適合であることを示す報知指示信号を送信する場合には、表示画面７１全体を識別表示すること（画面全体を赤色に網掛けする等）もできる。
【００６５】
ステップＳ１１において、製剤情報管理部３６は、投与情報管理テーブル５１の使用状況５１５に製剤が使用されていないことを示す「０」を記憶する。また、ステップＳ１２において、信号出力部３５は、第２の警告灯６に対して製剤が不適合であることを示す報知指示信号を送信する。この送信結果は、表示画面７１の報知内容７１６に反映される。
【００６６】
このような処理により、製剤管理サーバ２は、製剤が手術室８に搬入される段階、及び、製剤が手術室８内に搬入され投与が実行される段階において、製剤の適否を判定することができる。そして、製剤管理サーバ２は、製剤管理サーバ２による判定結果を、第１の警告灯４及び第２の警告灯６に出力させることができる。
これにより、作業者は製剤のＩＣタグを第１のＩＣタグリーダ３あるいは第２のＩＣタグリーダ５にかざすだけで、製剤の適否を確認することができる。即ち、作業者は、第１のＩＣタグリーダ３あるいは第２のＩＣタグリーダ５に非接触で製剤のＩＣタグを読み取らせ、読み取られたＩＣタグのデータに基づく判定結果を第１の警告灯４あるいは第２の警告灯６に出力させることができる。つまり、作業者は、製剤を照合するにあたり、消毒が行われていないバーコードリーダ等を手術室８内で取り扱う必要がない。そのため、手術室８において医療行為を行う際の作業性を高めることができる。また、製剤の適否の判定結果が第１の警告灯４あるいは第２の警告灯６によって報知されるため、わかりやすい形態で、複数の関係者に製剤の適否を知らせることができ、製剤の適否を確認する際の確実性を高めることができる。さらに、手術等を行う際の各段階に応じて適切に製剤の適否を確認することができるため、手術室８内に搬入される製剤の適切性を高めることができる。そのため、手術室８内において、製剤を使用するに際して、その製剤が使用できないと判明することによる手術や治療の遅れ、あるいは効率の低下を防ぐことができる。また、医療施設における製剤を統合的に管理できるため、１つの不具合が生じた場合に、関連する箇所に影響する以前に注意喚起することができ、より適切に医療施設を運営することが可能となる。
したがって、製剤管理システム１によれば、製剤をより適切に管理することが可能となる。
【００６７】
＜応用例１＞
上記実施形態において、製剤情報管理テーブル４１のデータを製剤管理サーバ２において登録することとしたが、医療施設に製剤を納入する製剤メーカによって製剤情報管理テーブル４１のデータを生成し、製剤管理サーバ２に提供することとしてもよい。即ち、製剤メーカは、医療施設に納入する製剤について、製剤の名称、種類、使用期限、及び納品日等のデータを保有していることから、これを利用することで、医療施設における登録時の誤入力等を防ぎ、製剤をより適切に管理することが可能となる。
【００６８】
［作用効果］
本発明の実施形態によれば、以下のような作用効果が得られる。
【００６９】
本実施形態の製剤管理システム１は、医療施設において使用される製剤に関する情報を管理する製剤管理サーバ２と、手術室８の出入り口８ａに固定的に設置される第１のＩＣタグリーダ３と、手術室８の出入り口８ａに固定的に設置され、第１のＩＣタグリーダ３に対応付けられた第１の警告灯４と、手術室８内に搬入され、投与が実行される製剤のＩＣタグを読み取り可能な所定の場所に設置される第２のＩＣタグリーダ５と、第２のＩＣタグリーダ５に対応付けられた第２の警告灯６と、を備える。
製剤管理サーバ２は、医療施設における製剤に関する情報が記憶された製剤情報管理テーブル４１と、患者に対する製剤の投与に関する情報が記憶された投与情報管理テーブル５１と、製剤情報管理テーブル４１に記憶された医療施設における製剤に関する情報と、投与情報管理テーブルに記憶された患者に対する製剤の投与に関する情報と、第１のＩＣタグリーダ３または第２のＩＣタグリーダ５で読み取られた製剤のＩＣタグのデータとに基づいて、製剤の適否を判定する製剤情報判定部３４と、製剤情報判定部３４の判定結果に基づいて、当該製剤のＩＣタグのデータを読み取った第１のＩＣタグリーダ３または第２のＩＣタグリーダ５と対応付けられた第１の警告灯４または第２の警告灯６を点灯させる信号を出力する信号出力部３５と、を有する。
この構成によれば、製剤管理サーバ２は、製剤が手術室８に搬入される段階、及び、製剤が手術室８内に搬入され投与が実行される段階において、製剤の適否を判定することができる。そして、製剤管理サーバ２は、製剤管理サーバ２による判定結果を、第１の警告灯４及び第２の警告灯６に出力させることができる。
これにより、作業者は製剤のＩＣタグを第１のＩＣタグリーダ３あるいは第２のＩＣタグリーダ５にかざすだけで、製剤の適否を確認することができる。即ち、作業者は、第１のＩＣタグリーダ３あるいは第２のＩＣタグリーダ５に非接触で製剤のＩＣタグを読み取らせ、読み取られたＩＣタグのデータに基づく判定結果を第１の警告灯４あるいは第２の警告灯６に出力させることができる。つまり、作業者は、製剤を照合するにあたり、消毒が行われていないバーコードリーダ等を手術室８内で取り扱う必要がない。そのため、手術室８において医療行為を行う際の作業性を高めることができる。また、製剤の適否の判定結果が第１の警告灯４あるいは第２の警告灯６によって報知されるため、わかりやすい形態で、複数の関係者に製剤の適否を知らせることができ、製剤の適否を確認する際の確実性を高めることができる。さらに、手術等を行う際の各段階に応じて適切に製剤の適否を確認することができるため、手術室８内に搬入される製剤の適切性を高めることができる。そのため、手術室８内において、製剤を使用するに際して、その製剤が使用できないと判明することによる手術や治療の遅れ、あるいは効率の低下を防ぐことができる。
したがって、製剤をより適切に管理することが可能となる。
【００７０】
また、製剤情報管理テーブル４１では、製剤に関する情報として、製剤を識別するための製剤ＩＤと、製剤の種類と、製剤の使用期限とが少なくとも対応付けて記憶される。
また、投与情報管理テーブルでは、患者に対する製剤の投与に関する情報として、患者を識別するための患者ＩＤと、患者に投与する製剤を識別するための製剤ＩＤと、患者に製剤が投与される手術室を識別する手術室ＩＤとが少なくとも対応付けて記憶される。
これにより、製剤の種類及び使用期限等が管理された製剤を、製剤が投与される手術室及び患者と対応付けて、より適切に管理することができる。
【００７１】
また、製剤情報判定部３４は、第１のＩＣタグリーダ３から患者ＩＤを受信することに対応して、当該第１のＩＣタグリーダが設置されている手術室８を当該患者に割り当てる。
これにより、患者の手術等が行われる手術室に、不適切な製剤が搬入される可能性を低下させることができる。
【００７２】
また、製剤情報判定部３４は、第１のＩＣタグリーダ３または第２のＩＣタグリーダ５で製剤のＩＣタグが読み取られた製剤の判定結果が不適合である場合に、投与情報管理テーブル５１に記憶された患者に対する製剤の投与に関する情報に基づいて、当該製剤に関係する患者または手術室に関する注意喚起の表示を行う。
これにより、１つの不具合が生じた場合に、関連する箇所に影響する以前に注意喚起することができ、より適切に医療施設を運営することが可能となる。
【００７３】
また、第１のＩＣタグリーダ３及び第１の警告灯４と、第２のＩＣタグリーダ５及び第２の警告灯６を複数の手術室８それぞれに備える。
これにより、医療施設における複数の手術室における製剤の管理をより適切に行うことが可能となる。
【００７４】
上述の実施形態における処理は、ハードウェア及びソフトウェアのいずれにより実行させることも可能である。
即ち、上述の処理を実行できる機能が製剤管理システム１に備えられていればよく、この機能を実現するためにどのような機能構成及びハードウェア構成とするかは上述の例に限定されない。
上述の処理をソフトウェアにより実行させる場合には、そのソフトウェアを構成するプログラムが、コンピュータにネットワークや記憶媒体からインストールされる。
【００７５】
プログラムを記憶する記憶媒体は、装置本体とは別に配布されるリムーバブルメディア、あるいは、装置本体に予め組み込まれた記憶媒体等で構成される。リムーバブルメディアは、例えば、磁気ディスク、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた記憶媒体は、例えば、プログラムが記憶されているＲＯＭやハードディスク等で構成される。
【符号の説明】
【００７６】
１…製剤管理システム、２…製剤管理サーバ、３…第１のＩＣタグリーダ、４…第１の警告灯、５…第２のＩＣタグリーダ、６…第１の警告灯、３３…製剤情報受信部（製剤情報受信手段）、３４…製剤情報判定部（製剤情報判定手段）、３５…信号出力部（信号出力手段）、４１・・・製剤情報管理テーブル（製剤情報記憶手段）、５１…投与情報管理テーブル（投与情報記憶手段）、６１…製剤情報判定テーブル、７１…表示画面
【図１】
0006461176.tif 000002
【図２】
0006461176.tif 000003
【図３】
0006461176.tif 000004
【図４】
0006461176.tif 000005
【図５】
0006461176.tif 000006
【図６】
0006461176.tif 000007
【図７】
0006461176.tif 000008
【図８】
0006461176.tif 000009